(57)【要約】【課題】先の尖った道具を用いることなく、ストラップを引っ張るだけで取り付けることができ、しかも使用中に容易に外れない、外観のよい携帯端末を得る。【解決手段】皿状の成形品よりなる筐体３を有する、ストラップ１０を着脱可能な携帯電話機１（携帯端末）において、筐体３に形成された略Ｃ字状の貫通スリット５で囲まれ、基端側の首部７と、この首部７に連続し、首部７よりも幅の大きい舌部８を有するストラップ取付部６とを設ける。そして、首部７と舌部８との連結部１１の両側にそれぞれ対向する貫通スリット５を形成する壁部にそれぞれ抜け止め用突起部９を設ける。筐体３の表面側を覆う電池カバー４に、ストラップ取付部６に取り付けたストラップ１０が挿通される１つの挿通孔４ａを形成する。また、舌部８は、先端に向かって先細とする。【選択図】図１
2013145963.tif 000002
【特許請求の範囲】
【請求項１】
ストラップを着脱可能な携帯端末において、
皿状の成形品よりなる筐体と、
上記筐体に形成された略Ｃ字状の貫通スリットで囲まれ、基端側の首部及び該首部に連続し、首部よりも幅の大きい舌部を有するストラップ取付部と、
上記首部と上記舌部との連結部の両側にそれぞれ対向する、上記貫通スリットを形成する壁部に設けられた一対の抜け止め用突起部と、
上記筐体の表面側を覆い、上記ストラップ取付部に取り付けた上記ストラップが挿通される１つの挿通孔が形成された蓋体とを備え、
上記舌部は、先端に向かって先細となっている
ことを特徴とする携帯端末。
【請求項２】
請求項１に記載の携帯端末において、
上記首部裏面は平坦であり、
上記舌部裏面は、先端に向かって厚さが薄くなるように傾斜している
ことを特徴とする携帯端末。
【請求項３】
請求項２に記載の携帯端末において、
上記舌部裏面は、さらに舌部の幅方向中心に向かって厚さが薄くなるように傾斜している
ことを特徴とする携帯端末。
【請求項４】
請求項２又は３に記載の携帯端末において、
上記筐体側には、上記ストラップを上記舌部に挿入する際に該ストラップの先端を誘導する誘導部が設けられている
ことを特徴とする携帯端末。
【請求項５】
請求項１乃至４のいずれか１つに記載の携帯端末において、
上記蓋体の裏面の上記挿入孔周辺には、上記筐体を覆ったときに上記貫通スリットを覆う膨出部が形成されている
ことを特徴とする携帯端末。
【発明の詳細な説明】
【技術分野】
【０００１】
本発明は、ストラップを取付可能な携帯端末に関し、特にストラップの取り付けやすさの改善に関する。
【背景技術】
【０００２】
従来より、携帯端末は、使用頻度が高く、好みのストラップを取り付けたいというユーザーのニーズは高い。このため、その取り替えやすさは重要な要素となっている。そして、携帯端末の筐体側面に２つの貫通孔を設け、これらの貫通孔にストラップを通すことが知られている。しかし、この構造では、筐体側面に設けた２つの貫通孔によって外観が悪化し、また、２つの貫通孔を設けるための広いスペースを必要とする。さらには、ストラップを貫通孔に通すために尖った道具を必要とし、その道具によって筐体やストラップを傷付けるという欠点があった。
【０００３】
そこで、例えば、特許文献１のようなリア筐体の下方部にハンドストラップ取付部を設けるものが知られている。このハンドストラップ取付部は、リア筐体の外周域に接する位置に、ハンドストラップの輪状の細紐を収容可能なＵ字溝を形成してなり、抜け防止突起を有する。抜け防止突起は、Ｕ字形状の略中央部で、Ｕ字溝の内方の側壁のカバー側端部に突起を設けてなり、その突起量は、ハンドストラップの細紐の直径よりもＵ字溝の幅が一回り程小さくなるような突起量とされている。
【０００４】
また、特許文献２の携帯機器は、板状の壁が収納空間を囲む構造の筐体と、筐体の外面に着脱可能に取り付けられた外側部材とを備え、筐体の隅部には、壁を貫通するスリットによって三方から囲まれるとともに、筐体の一端部から他端側へ向けて延在する舌片が形成され、スリットの開口幅は、ストラップの取付用の紐が挿通可能な幅に形成され、外側部材は、舌片の先端部及びこの先端部を囲むスリットを筐体の外側から覆う形状に形成されている。
【先行技術文献】
【特許文献】
【０００５】
【特許文献１】特開２００８−２８９１３号公報
【特許文献２】特開２０１０−２８３７１１号公報
【発明の概要】
【発明が解決しようとする課題】
【０００６】
しかしながら、上記特許文献１のストラップ取付構造では、突起の突起量が、ハンドストラップの細紐の直径よりもＵ字溝の幅が一回り程小さくなるように設定されているので、依然として先の尖った道具を用いて細紐を押しつけながら挿入しなければならず、細紐や筐体が傷むという問題が解決されていない。また、細紐をＵ字溝に載せているだけなので、バッテリカバーを外すと細紐が緩みやすく、バッテリカバーを再び取り付ける際に細紐が動いて緩んで外れ、取り付けにくいという問題がある。
【０００７】
また、特許文献２の携帯機器では、スリットを通して舌片の裏面側に紐を通すには、舌片の先端から紐を通さなければならないが、スリットを引っ張っても紐が舌片に入り込むような構造になっていないので、依然として先の尖った道具で紐を舌片の下へ確実に潜り込ませた後、紐を引っ張らなければならないという問題がある。また、使用中の振動やストラップを強く引っ張ることにより、紐が容易に移動して外れやすいという問題がある。
【０００８】
本発明は、かかる点に鑑みてなされたものであり、その目的とするところは、先の尖った道具を用いることなく、ストラップを引っ張るだけで取り付けることができ、しかも使用中に容易に外れない、外観のよい携帯端末を得ることにある。
【課題を解決するための手段】
【０００９】
上記の目的を達成するために、この発明では、抜け止め用突起部の位置及び舌部の形状に工夫を凝らした。
【００１０】
具体的には、第１の発明では、
皿状の成形品よりなる筐体と、
上記筐体に形成された略Ｃ字状の貫通スリットで囲まれ、基端側の首部及び該首部に連続し、首部よりも幅の大きい舌部を有するストラップ取付部と、
上記首部と上記舌部との連結部の両側にそれぞれ対向する、上記貫通スリットを形成する壁部に設けられた一対の抜け止め用突起部と、
上記筐体の表面側を覆い、上記ストラップ取付部に取り付けた上記ストラップが挿通される１つの挿通孔が形成された蓋体とを備え、
上記舌部は、先端に向かって先細となっている。
【００１１】
上記の構成によると、抜け止め用突起部の位置が先細となった舌部と首部との連結部に対向する壁部に配置されているので、ストラップを舌部の裏面に通した後ストラップを引っ張ると、首部側へストラップが滑っていき、抜け止め用突起部の部分にさしかかる。そして、この抜け止め用突起部のある部分にさしかかっても、ストラップを引っ張れば先細の舌部に誘導されて抜け止め用突起部を乗り越えることができるので、先の尖った道具を必要としない。そして、首部に取り付けられたストラップを蓋体の挿通孔に通すことで、ストラップが露出する。蓋体には挿通孔が１つしかなく、その挿通孔は、少なくともストラップを挿通可能な大きさがあればいいので、外観が悪化しない。そして、ストラップの取り付け後も、ストラップが首部に引っ掛かり、首部よりも幅の大きい舌部と抜け止め用突起部との間の隙間が狭くなっているので、ストラップが緩んでも外れにくい。
【００１２】
第２の発明では、第１の発明において、
上記首部裏面は平坦であり、
上記舌部裏面は、先端に向かって厚さが薄くなるように傾斜している。
【００１３】
上記の構成によると、舌部裏面が先端に向かって厚さが薄くなるように傾斜しているので、ストラップを舌部先端から引っ掛けて引っ張ると、ストラップが舌部裏面をスムーズに滑って首部に向かって進むので、ストラップの取付が極めて容易になる。一方、首部裏面は平坦なので、一旦ストラップを首部に取り付けると舌部側に進んで外れやすくなるということはない。
【００１４】
第３の発明では、第２の発明において、
上記舌部裏面は、さらに舌部の幅方向中心に向かって厚さが薄くなるように傾斜している。
【００１５】
上記の構成によると、ストラップを舌部の裏面に引っ掛けるときにストラップが舌部の幅方向中心に滑りやすくなり、さらに首部へスムーズに導かれる。
【００１６】
第４の発明では、第２又は第３の発明において、
上記筐体側には、上記ストラップを上記舌部に挿入する際に該ストラップの先端を誘導する誘導部が設けられている。
【００１７】
上記の構成によると、ストラップを舌部に挿入するときにストラップの先端が誘導部に誘導されるので、舌部の傾斜面の効果と相まってさらに挿入が容易となる。
【００１８】
第５の発明では、第１乃至第４のいずれか１つの発明において、
上記蓋体の裏面の上記挿入孔周辺には、上記筐体を覆ったときに上記貫通スリットを覆う膨出部が形成されている。
【００１９】
上記の構成によると、蓋体で筐体を覆った状態でストラップが貫通スリット内で動きにくくなり、ストラップが緩んで外れることはない。
【発明の効果】
【００２０】
以上説明したように、本発明によれば、ストラップ取付部の首部と舌部との連結部の両側にそれぞれ対向する、貫通スリットを形成する壁部に一対の抜け止め用突起部を設け、舌部を先端に向かって先細とし、ストラップが挿通される１つの挿通孔を有する蓋体で筐体を覆うようにしたことにより、先の尖った道具を用いることなく、ストラップを引っ張るだけで首部へ移動させることができるので、ストラップを極めて容易に取り付けることができ、ストラップや筐体を傷付けることはない。しかも使用中に容易に外れず、また、挿通孔が１つしか外観に現れないので見映えがよい。
【図面の簡単な説明】
【００２１】
【図１】本発明の実施形態に係る携帯電話機の電池カバーを開いたときのストラップ取付部及びその周辺を拡大して示す背面図である。
【図２】図１のII−II線拡大断面図である。
【図３】ストラップ取付部の裏面を示す拡大全斜視図である。
【図４】ストラップ挿入開始時の図２相当図である。
【図５】ストラップ挿入中の図２相当図である。
【図６】携帯電話機の背面を示す斜視図である。
【図７】電池カバーを開いた状態の携帯電話機の主要部を示す斜視図である。
【図８】その他の実施形態に係るストラップ取付部を拡大して示す背面図である。
【発明を実施するための形態】
【００２２】
以下、本発明の実施形態を図面に基づいて説明する。
【００２３】
図６は、本発明の実施形態の携帯端末としての携帯電話機１を示し、この携帯電話機１は、正面側に表示部２（図２等に断面のみ示す）が嵌め込まれる皿状の樹脂成形品よりなる筐体３と、この筐体３の背面を覆う樹脂成形品などの蓋体としての板状の電池カバー４とを備えている。なお、筐体３及び電池カバー４は、金属成形品でもよい。
【００２４】
そして、詳しくは図示しないが、この筐体３の背面側には、電池収容部が形成され、この電池収容部に電池を着脱可能となっている。電池収容部よりも上側の角部には、図７に拡大して示すように、略Ｃ字状の貫通スリット５が設けられている。この貫通スリット５で囲まれた部分に正面視略Ｔ字状のストラップ取付部６が形成されている。このストラップ取付部６は、基端側の首部７と、この首部７に連続し、首部７よりも幅の大きい舌部８とを有する。貫通スリット５の幅は、一般的なストラップ１０の直径よりも大きく設定されている。
【００２５】
図１〜図３に示すように、舌部８は、先端に向かって若干幅が狭くなるように先細形状となっている。そして、首部裏面７ａは平坦であり、舌部８の裏面には、先端に向かって厚さが薄くなるように傾斜する第１傾斜面８ａが形成されている。舌部８裏面は、さらに舌部８の幅方向中心に向かって厚さが薄くなるように傾斜する第２傾斜面８ｂを有する。
【００２６】
図１及び図７に示すように、首部７と舌部８との連結部１１（舌部８の最大幅部分とそれよりも幅の狭い首部７とが連結された隅角部）の両側にそれぞれ対向する貫通スリット５を形成する壁部には、それぞれ抜け止め用突起部９が突設されている。この抜け止め用突起部９が突設された部分の貫通スリット５の幅は、ストラップ１０の直径と同等又はそれよりも若干大きくなっている。
【００２７】
一方、電池カバー４の上記ストラップ取付部６に対応する位置には、ストラップ取付部６に取り付けたストラップ１０が挿通される１つの挿通孔４ａが形成されている。この挿通孔４ａの周囲には、電池カバー４で筐体３を覆ったときに、貫通スリット５及び舌部８を覆うように膨出部４ｂが形成されている。
【００２８】
また、図２に示すように、携帯電話機１の内部の筐体３側には、湾曲した誘導部１２が形成され、ストラップ１０の細紐部分の先端を舌部８の先端側から舌部８の裏面へ挿入しやすくなっている。なお、この誘導部１２の形状は、湾曲面に限定されず、平坦な傾斜面でもよい。
【００２９】
次に、本実施形態に係る携帯電話機１の作動について説明する。
【００３０】
まず、図１に示すように、ストラップ１０の細線部分の先端を電池カバー４の挿通孔４ａに通しておく。
【００３１】
次いで、図４に示すように、ストラップ１０の細紐部分の先端を舌部８の先端側から舌部８の裏面へ挿入し、上記誘導部１２に沿わせて矢印の方向に２点鎖線で示す位置まで滑り込ませる。このとき、舌部８は、先端に向かって先細となっており、また、幅方向中心に向かって厚さが薄くなるように傾斜する第２傾斜面８ｂが形成されているので、引っ掛かることなく、極めてスムーズにストラップ１０が滑っていく。
【００３２】
次いで、図５に示すように、ストラップ１０を首部７側へ引っ張ると、ストラップ１０が第１傾斜面８ａの傾斜に沿って矢印のように首部７側へ滑る。このとき、ストラップ１０が破線で示す抜け止め用突起部９にさしかかっても、ストラップ１０を引っ張れば容易に抜け止め用突起部９を乗り越えることができるため、先の尖った道具を必要としない。
【００３３】
そして、図２に示すストラップ１０の取り付け後は、ストラップ１０が首部７に引っ掛かり、首部７よりも幅の大きい舌部８と抜け止め用突起部９との間の隙間が狭くなっているので、ストラップ１０が緩んでも外れにくい。しかも、首部７裏面は平坦なので、一旦ストラップ１０を首部７に取り付けると舌部８側に進んで外れやすくなるということはない。
【００３４】
次いで、図６に示すように、筐体３を電池カバー４で覆う。このとき、ストラップ１０が外れにくいので、電池カバー４で筐体３を容易に覆うことができる。
【００３５】
最終的にストラップ１０は、挿通孔４ａから電池カバー４の表面側へ露出する。このとき、電池カバー４には挿通孔４ａが１つしかなく、この挿通孔４ａは少なくともストラップ１０を挿通可能な大きさがあればいいので、外観が悪化しない。また、膨出部４ｂが貫通スリット５を（場合によっては舌部８の一部も含めて）覆っているので、さらにストラップ１０が抜けにくくなっている。
【００３６】
したがって、本実施形態に係る携帯電話機１によると、先の尖った道具を用いることなく、ストラップ１０を引っ張るだけで首部７へ移動させることができるので、ストラップ１０を極めて容易に取り付けることができ、ストラップ１０や筐体３を傷付けることはない。しかも使用中に容易に外れず、また、挿通孔４ａが１つしか外観に現れないので見映えがよい。
【００３７】
（その他の実施形態）
本発明は、上記実施形態について、以下のような構成としてもよい。
【００３８】
すなわち、上記実施形態では、ストラップ１０を１本のみ取り付ける場合を示したが、首部７の長さや挿通孔４ａの大きさを調整することにより、複数本のストラップ１０を取り付けることもできる。
【００３９】
また、上記実施形態では、ストラップ取付部６の形状は、正面視略Ｔ字状としているが、図８に示すような形状としてもよい。このストラップ取付部１０６では、舌部１０８の形状は上記実施形態と変わらないが、首部１０７の幅が徐々に基端側に向かって細くなっている点で相違する。この場合の連結部１１１は、舌部１０８及び首部１０７の最も幅の大きい部分に相当する。その連結部１１１の両側の対向する位置に抜け止め用突起部が設けられている。
【００４０】
上記実施形態では、携帯端末は、携帯電話機１としたが、ＰＨＳ（Personal Handy-phone System ）、ＰＤＡ(Personal Digital Assistant)、スマートフォン、パソコン、モバイルツール、電子辞書、電卓、ゲーム機等であってもよい。
【００４１】
なお、以上の実施形態は、本質的に好ましい例示であって、本発明、その適用物や用途の範囲を制限することを意図するものではない。
【符号の説明】
【００４２】
１      携帯電話機（携帯端末）
３      筐体
４      電池カバー（蓋体）
４ａ    挿通孔
５      貫通スリット
６，１０６      ストラップ取付部
７，１０７      首部
８，１０８      舌部
９      抜け止め用突起部
１０      ストラップ
１１，１１１      連結部
【図１】
2013145963.tif 000003
【図２】
2013145963.tif 000004
【図３】
2013145963.tif 000005
【図４】
2013145963.tif 000006
【図５】
2013145963.tif 000007
【図６】
2013145963.tif 000008
【図７】
2013145963.tif 000009
【図８】
2013145963.tif 000010